(57)【要約】【課題】筐体の側面部に外側へ向かって開口する端子口を有する電子機器において、回動操作により端子口を開閉可能に覆う蓋体が筐体の側面部に一体的に設けられている場合について、蓋体を回動操作して端子口を閉じる際の操作性を向上させる。【解決手段】上面部，下面部及び側面部を外面に有する筐体１を有するタブレット端末装置において、該筐体の側面部に配置されて筐体の外方に向かって開口する端子口２０と、該端子口を開閉可能に覆うキャップ３０とを備え、該キャップは、端子口に嵌入される嵌入部３１と、端子口への嵌入状態で筐体の側面に露出する押圧面３２と、当該キャップを端子口に対して開閉可能に回動させるヒンジ部３８とを有しており、前キャップの押圧面は、嵌入部が端子口に嵌入される方向に対して垂直な面であり、筐体の側面部において端子口の上側及び／又は下側に位置する部分は、蓋体の閉状態で押圧面よりも外方に向かって円弧状に突出する突出部を形成している。【選択図】図７
2014127639.tif 000002
【特許請求の範囲】
【請求項１】
対向配置された上面部および下面部と、これら両面部の周縁部どうしを結合する側面部と、を外面に有する筐体と、
該筐体の前記側面部に配置され、前記筐体の外方に向かって開口する端子口と、
該端子口を開閉可能に覆う蓋体と、を備え、
該蓋体は、前記端子口に嵌入される嵌入部と、前記端子口への嵌入状態で前記筐体の側面に露出する押圧面と、当該蓋体を前記端子口に対して開閉可能に支持する開閉支持部と、を有しており、
前記蓋体の前記押圧面は、前記嵌入部が前記端子口に嵌入される方向に対して垂直な面であり、
前記筐体の前記側面部において前記端子口の上側及び／又は下側に位置する部分は、前記蓋体の閉状態において前記押圧面よりも前記筐体の外方に向かって円弧状に突出する第１の突出部を形成する、
ことを特徴とする電子機器。
【請求項２】
前記蓋体の前記押圧面の上側及び／又は下側に位置する部分は、前記蓋体の閉状態において前記押圧面よりも前記筐体の外方に、かつ、前記第１の突出部と同一の方向に向かって円弧状に突出する第２の突出部を形成する、ことを特徴とする請求項１に記載の電子機器。
【請求項３】
前記蓋体の閉状態において、前記第１の突出部と前記第２の突出部とが略面一の外面を構成する、ことを特徴とする請求項２に記載の電子機器。
【請求項４】
前記第１の突出部および前記第２の突出部は、前記筐体の上面部または下面部の他の部分よりも高い弾性を有する部材で構成されている、ことを特徴とする請求項２に記載の電子装置。
【請求項５】
前記筐体の前記上面部および下面部は平面視で略四角形状に形成され、前記側面部は２組の対向配置された平面を有しており、
前記四角形状の各角部は、前記筐体の外方へ向かって膨出する膨出部で構成され、該膨出部の一部が、前記第１の突出部を構成している、
ことを特徴とする請求項１に記載の電子装置。
【請求項６】
前記蓋体の前記嵌入部の外周部分には、前記筐体の前記端子口を封止する封止部材が配置された、ことを特徴とする請求項１に記載の電子装置。
【発明の詳細な説明】
【技術分野】
【０００１】
本開示は、電子機器、特に、筐体の側面部に端子口が設けられた電子機器に関する。
【背景技術】
【０００２】
周知のように、例えばパーソナルコンピュータや情報端末機器などの電子機器、特に、所謂タブレット型やノート型のパーソナルコンピュータ及びタブレット型の携帯情報端末機などの持ち運び可能な電子機器では、外部の関連機器や電源等との接続のための接続端子を備えた端子口が、筐体の側面部に設けられるのが一般的である。
【０００３】
しかし、通常、筐体の側面部及びその近傍には、各種の操作スイッチや冷却ファンの通風口、更にはアンテナなど、種々の機構や部品類が配設される。従って、前述の端子口を筐体の側面部に設ける場合には、筐体内部に装備される各種の装置類や筐体に装着される電池パック等に加えて、前述の種々の機構や部品類との干渉を回避する必要があるので、設置箇所がかなり制限され、筐体の角部の付近に設けざるを得ない場合もある。
【０００４】
持ち運び可能な電子機器の筐体の角部の構成として、例えば、特許文献１には、平面視で略四角形状の筐体の４つの角部に、外方へ向かって膨出する膨出部を設け、落下時などにおける耐衝撃性の向上を企図した構成が開示されている。
【０００５】
ところで、前記端子口は、水などの液体や塵埃などの侵入を防止するために、不使用時には、キャップ等で蓋をして外部から遮蔽する必要がある。このような蓋体を設ける場合、ヒンジ部等の開閉支持部を介して、蓋体を筐体の側面部に一体的に設け、必要に応じて蓋体を回動操作して端子口を開閉できるようにするのが便利である。
【先行技術文献】
【特許文献】
【０００６】
【特許文献１】特開２００５−１６５４７５号公報
【発明の概要】
【発明が解決しようとする課題】
【０００７】
しかしながら、上述のようにして蓋体を筐体の側面部に一体的に設けた場合、蓋体の回動操作は手狭な筐体側面部で行わざるを得ない関係上、一般に操作がしにくく、例えば開状態の蓋体に押圧力を加えて端子口に押し込む際には、ユーザは押圧力を加えるべき適正な部分を探りながら操作をする必要がある。とりわけ、端子口が筐体の角部の付近に設けられている場合には、また特に、この角部に膨出部が形成されている場合には、この操作性の問題はより顕著なものとなる。
【０００８】
そこで、本開示は、筐体の側面部に外側へ向かって開口する端子口を有する電子機器において、回動操作により端子口を開閉可能に覆う蓋体が筐体の側面部に一体的に設けられている場合について、蓋体を回動操作して端子口を閉じる際の操作性を向上させることを基本的な目的としてなされたものである。
【課題を解決するための手段】
【０００９】
このため、本開示における電子機器は、対向配置された上面部および下面部と、これら両面部の周縁部どうしを結合する側面部と、を外面に有する筐体と、該筐体の前記側面部に配置され、前記筐体の外方に向かって開口する端子口と、該端子口を開閉可能に覆う蓋体と、を備え、該蓋体は、前記端子口に嵌入される嵌入部と、前記端子口への嵌入状態で前記筐体の側面に露出する押圧面と、当該蓋体を前記端子口に対して開閉可能に支持する開閉支持部と、を有しており、前記蓋体の前記押圧面は、前記嵌入部が前記端子口に嵌入される方向に対して垂直な面であり、前記筐体の前記側面部において前記端子口の上側及び／又は下側に位置する部分は、前記蓋体の閉状態において前記押圧面よりも前記筐体の外方に向かって円弧状に突出する第１の突出部を形成する、ことを特徴としたものである。
尚、本明細書において、「上側及び／又は下側」とは、「上側及び下側の少なくとも何れか一方」を意味し、明細書の記載の複雑化を回避する趣旨で、前記の内容をより簡明に表現したものである。
【発明の効果】
【００１０】
本開示における電子機器によれば、筐体の側面部に外方へ向かって開口する端子口を有する電子機器において、回動操作により端子口を開閉可能に覆う蓋体が筐体の側面部に一体的に設けられている場合について、蓋体が、端子口に嵌入される嵌入部と、前記端子口への嵌入状態で筐体の側面に露出する押圧面とを備え、該押圧面は、前記嵌入部が端子口に嵌入される方向に対して垂直な面であることにより、ユーザは、開状態の蓋体に押圧力を加えて端子口に押し込む際に、特に意識することなく、押圧力を加えるべき適正な部分を感知することができ、蓋体を回動操作して端子口を閉じる際の操作性が向上する。
【図面の簡単な説明】
【００１１】
【図１】本開示の実施の形態に係るタブレット端末装置の表示面側を示す斜視図；
【図２】前記タブレット端末装置の平面図；
【図３】前記タブレット端末装置の背面側を示す斜視図；
【図４】前記タブレット端末装置の背面図；
【図５】前記タブレット端末装置の外部電源用の端子口を設けた筐体角部の膨出部を拡大して示す背面側からの斜視図；
【図６】前記膨出部を斜め下方から見て示した拡大斜視図；
【図７】図６におけるＹ７−Ｙ７線に沿った横断面図。
【発明を実施するための形態】
【００１２】
本開示における電子機器は、上述の構成を基本として、以下のような態様をとることができる。すなわち、前記構成の電子機器において、前記蓋体の前記押圧面の上側及び／又は下側に位置する部分は、前記蓋体の閉状態において前記押圧面よりも前記筐体の外方に、かつ、前記第１の突出部と同一の方向に向かって円弧状に突出する第２の突出部を形成する、ようにしてもよい。
【００１３】
この構成によれば、蓋体の前記押圧面の上側及び／又は下側に位置する部分に前記第２の突出部を形成したので、ユーザが開状態の蓋体に指で押圧力を加えて端子口に押し込む際に、ユーザの指が前記第２の突出部に触れることによって、押圧面の位置をより容易に感知できるようになる。
【００１４】
また、この場合、前記蓋体の閉状態において、前記第１の突出部と前記第２の突出部とが略面一の外面を構成する、ようにしてもよい。
【００１５】
この構成によれば、筐体側の前記第１の突出部と蓋体側の前記第２の突出部とは、蓋体の閉状態において略面一の外面を構成するので、蓋体が閉じられた状態において、蓋体と筐体との間に段差が生じることがなく、蓋体に前記押圧面を設けた場合でも、蓋体の閉状態における外観性に悪影響を及ぼすことを抑制できる。
【００１６】
更に、前記第１の突出部および前記第２の突出部は、前記筐体の上面部または下面部の他の部分よりも高い弾性を有する部材で構成されている、ようにしてもよい。
【００１７】
この構成によれば、筐体側の前記第１の突出部および蓋体側の前記第２の突出部は筐体の上面部または下面部の他の部分よりも高い弾性を有しているので、前記筐体の端子口および蓋体が配設された部分に衝撃力が加わった場合に、その衝撃力を有効に吸収し、耐衝撃性を高めることができる。
【００１８】
また更に、前記筐体の前記上面部および下面部は平面視で略四角形状に形成され、前記側面部は２組の対向配置された平面を有しており、前記四角形状の各角部は、前記筐体の外方へ向かって膨出する膨出部で構成され、該膨出部の一部が、前記第１の突出部を構成している、ようにしてもよい。
【００１９】
この構成によれば、平面視で略四角形状の筐体の４つの角部に、外方へ向かって膨出する膨出部を設け、該膨出部の一部が前記第１の突出部を構成していることにより、前記角部の一つに端子口および蓋体を設けた場合でも、落下時などにおける耐衝撃性を有効に向上させることができる。
【００２０】
また更に、前記蓋体の前記嵌入部の外周部分には、前記筐体の前記端子口を封止する封止部材が配置されている、ようにしてもよい。
【００２１】
この構成によれば、蓋体が閉じられた状態において、端子口の内部に水などの液体や塵埃などが侵入することをより確実に防止することができる。
【００２２】
＜実施の形態＞
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００２３】
また、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した開示の理解を容易にするためであって、それらの用語の意味によって本開示は限定的に解釈されるべきものではない。
【００２４】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。
【００２５】
図１及び図２は、本実施の形態に係る電子機器としてのタブレット端末装置の表示面側を示す斜視図及び平面図、また、図３及び図４は、前記タブレット端末装置の背面側を示す斜視図及び平面図である。
これらの図に示すように、本実施の形態に係るタブレット端末装置Ｗは、平面視で略四角形状に形成され所定の厚さ（高さ）を有する筐体１を備えている。この筐体１は、上下に対向配置された上面部２および下面部４と、これら両面部２，４の周縁部どうしを結合する側面部６と、を外面に有している。前記側面部６は、２組の対向配置された実質的に平坦な面を主要部として構成されている。
【００２６】
また、前記筐体１では、四角形状の各角部が、筐体１の外方へ向かって膨出する膨出部８で構成されている。本実施形態では、これら膨出部８は、例えば曲面状に膨出している。筐体１の主要部分は、機械的剛性等の確保のために、例えばマグネシウム（Ｍｇ）等の金属材料を用いて製作されているが、前記４箇所の膨出部８については、筐体１の材料よりも弾性の高い、例えばエラストマで製作されている。これら膨出部８は、Ｍｇ製筐体１の各角部に装着され、例えば、ネジ部材８ｎを用いて筐体１に対し固定されている。
【００２７】
前記筐体１の上面部２には、例えば液晶を用いた表示画面２ｃが配置されている。この表示画面２ｃは、例えば、タッチパネル式の入力画面としても用いられる。一方、筐体１の下面部４（背面側）には、携帯電源としての電池パック１１が装着されている。また、上面部２の周縁部近傍（つまり側面部６の近傍）には、各種の操作スイッチ類Ｓ１，Ｓ２などが配設されている。更に、上面部２と下面部４との間に形成される空間部（不図示）には、信号処理回路や中央演算処理装置（所謂ＣＰＵ）などの各種の電子部品及び制御装置（何れも不図示）の他、例えば冷却ファン１３などの装備品が収容されている。尚、この冷却ファン１３の通風口１３ｄは、筐体１の側面部６に設けられている。
【００２８】
本実施形態では、筐体１の内部に装備される前述の各種の電子部品や制御装置及び装備品（何れも不図示）、並びに筐体１の背面側に装着される電池パック１１等との干渉を回避し、また、筐体１の側面部６に配置される前述の冷却ファン通風口１３ｄなどの種々の機構や部品類との干渉を回避して、筐体１の角部の近傍に位置する側面部６に、外部の電源（不図示）との接続のための接続端子２８を備えた端子口２０が設けられている。つまり、端子口２０は、エラストマ製の膨出部８に設けられている。この端子口２０は、内周形状が例えば円形に形成され、筐体１の外方に向かって開口している。
【００２９】
図５は、前記タブレット端末装置Ｗの外部電源用の端子口２０が設けられた筐体角部の膨出部８を拡大して示す背面側からの斜視図であり、図６は、前記膨出部８を斜め下方から見て示した拡大斜視図である。また、図７は、図６におけるＹ７−Ｙ７線に沿った横断面図である。
これらの図に示すように、本実施形態では、前記端子口２０の内部に水などの液体や塵埃などが侵入することを防止するために、端子口２０を開閉可能に覆う蓋体３０（キャップ）が設けられている。そして、接続端子２８の不使用時には、このキャップ３０で蓋をして端子口２０を外部から遮蔽するようにしている。
【００３０】
このキャップ３０は、開閉支持部３８（ヒンジ部）を介して、筐体１の側面部６に一体的に設けられており、必要に応じてキャップ３０を回動操作して端子口２０を開閉することができる（図５における一点鎖線矢印ｊｋ参照）。本実施形態では、キャップ３０と、当該キャップ３０を端子口２０に対し開閉可能に回動させる前記ヒンジ部３８とは一体成形されており、筐体角部の膨出部８と同じくエラストマ製である。前記キャップ３０は、端子口２０の内周２１に嵌入される円筒状の嵌入部３１と、端子口２０への嵌入状態で筐体１の側面部６に露出する押圧面３２とを備えており、この押圧面３２は、前記嵌入部３１が端子口２０に嵌入される方向（図５における矢印Ｆの方向）に対して垂直な面として形成されている。
【００３１】
このように、本実施形態によれば、筐体１の側面部６に外方へ向かって開口する端子口２０を有する電子機器Ｗにおいて、回動操作により端子口２０を開閉可能に覆うキャップ３０が筐体１の側面部６に一体的に設けられている場合について、キャップ３０が、端子口２０に嵌入される嵌入部３１と、前記端子口２０への嵌入状態で筐体１の側面６に露出する押圧面３２とを備え、該押圧面３２は、嵌入部３１が端子口２０に嵌入される方向に対して垂直な面として形成されている。従って、ユーザは、開状態のキャップ３０を閉方向に回動させ、前記押圧面３２に押圧力を加えて端子口２０に押し込む際に、特に意識することなく、押圧力を加えるべき適正な部分を感知することができる。これにより、キャップ３０を回動操作して端子口２０を閉じる際の操作性を向上させることができるのである。なお、開閉支持部３８はヒンジ機構で構成する形態に限られない。開閉支持部３８はキャップ３０を開閉動作可能に支持するものであればよい。たとえば開閉支持部を、材質に十分な弾性をもたせて構成し、材質の折れ曲がりによって開閉動作を実現させても良い。
【００３２】
また、キャップ３０の前記嵌入部３１の外周部分３１ｇには、端子口２０を封止する封止部材３５（シール部材）が位置している。このシール部材３５は、例えばシリコンゴム製で、外周形状が円形の環状に形成されており、シール押え３６を介してキャップ３０に固定されている。キャップ３０が端子口２０を閉塞する際には、シール部材３５の外周部が端子口２０の内周部２１に弾性変形しながら摺接することにより、端子口２０が外部に対して、液密および気密に封止される。かかるシール部材３５を備えたことにより、キャップ３０が閉じられた状態において、端子口２０の内部に水などの液体や塵埃などが侵入することがより確実に防止される。
【００３３】
更に、筐体１の側面部６において前記端子口２０の上側及び／又は下側（本実施形態では上側）に位置する部分８ａは、キャップ３０の閉状態において押圧面３２よりも筐体１の外方に向かって円弧状に突出する第１の突出部８ａを形成している。また、キャップ３０の前記押圧面３２の上側及び／又は下側（本実施形態では上側及び下側の両側）に位置する部分３０ａ，３０ａは、当該キャップ３０の閉状態において押圧面３２よりも筐体１の外方に向かって円弧状に突出する第２の突出部３０ａ，３０ａを形成している。前記第１の突出部８ａと上側の第２の突出部３０ａとは、キャップ３０の閉状態において略面一を構成している。つまり、端子口２０の上側に位置する第１の突出部８ａとキャップ３０の押圧面３２の上側に位置する第２の突出部３０ａとは略同一の外面を形成している。従って、キャップ３０が閉じられた状態において、キャップ３０の上側部分には筐体１との間に段差が生じることがなく、キャップ３０に前記押圧面３２を設けた場合でも、キャップ３０の閉状態における外観性に悪影響を及ぼすことが抑制される。
【００３４】
この場合において、前記第１の突出部８ａおよび第２の突出部３０ａは共にエラストマで形成されており、金属材料（例えばマグネシウム）製の筐体１の上面部２または下面部４（本実施形態では上面部２）の他の部分よりも高い弾性を有する部材で構成されているので、筐体１の端子口２０及びキャップ３０が配設された部分（膨出部８）に衝撃力が加わった場合に、その衝撃力を有効に吸収し、耐衝撃性を高めることができる。
【００３５】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３６】
上述の実施の形態は、所謂タブレット端末装置に適用した場合を例にとって示したものであったが、本開示における電子機器は、かかる場合に限定されるものではなく、他の種々の電子機器として有効に適用し得るものである。
【００３７】
このように、上述の実施の形態は、本開示における技術を例示するためのものであるから、特許請求の範囲またはその均等の範囲において種々の変更、置き換え、付加、省略などを行うことができる。
【産業上の利用可能性】
【００３８】
本開示は、筐体の側面部に端子口が設けられた電子機器に適用可能である。
【符号の説明】
【００３９】
１  筐体
２  上面部
４  下面部
６  側面部
８  膨出部
８ａ  第１の突出部
２０  端子口
３０  キャップ（蓋体）
３０ａ  第２の突出部
３１  嵌入部
３２  押圧面
３５  シール部材（封止部材）
３８  ヒンジ部（開閉支持部）
Ｗ  タブレット端末装置
【図１】
2014127639.tif 000003
【図２】
2014127639.tif 000004
【図３】
2014127639.tif 000005
【図４】
2014127639.tif 000006
【図５】
2014127639.tif 000007
【図６】
2014127639.tif 000008
【図７】
2014127639.tif 000009